(57)【要約】本発明の観覧サービスシステムは、予約されたチケットの発行データを管理するとともに、前記チケットに係るチケットデータを送信する管理手段と、この管理手段から受信した前記チケットデータを所定の記憶媒体に書き込む書き込み手段と、この書き込み手段で書き込まれた前記チケットデータを前記記憶媒体から読み出す読み出し手段と、受信した映像データ及び音声データの少なくとも一方を再生する端末と、を備え、前記管理手段は、前記読み出し手段から読み出された前記チケットデータについて前記発行データを基に認証した場合、前記端末へ前記映像データ及び音声データの少なくとも一方を再生可能とする復号情報を送信し、前記端末は、前記管理手段から受信した前記復号情報により前記映像データ及び音声データの少なくとも一方を再生する。
2002069639.tif 000002
【特許請求の範囲】
【請求項１】
予約されたチケットの発行データを管理するとともに、前記チケットに係るチケットデータを送信する管理手段と、
この管理手段から受信した前記チケットデータを所定の記憶媒体に書き込む書き込み手段と、
この書き込み手段で書き込まれた前記チケットデータを前記記憶媒体から読み出す読み出し手段と、
受信した映像データ及び音声データの少なくとも一方を再生する端末と、
を備え、
前記管理手段は、前記読み出し手段から読み出された前記チケットデータについて前記発行データを基に認証した場合、前記端末へ前記映像データ及び音声データの少なくとも一方を再生可能とする復号情報を送信し、
前記端末は、前記管理手段から受信した前記復号情報により前記映像データ及び音声データの少なくとも一方を再生することを特徴とする観覧サービスシステム。
【請求項２】
前記端末は、ケーブルテレビ局と接続され、所定の会場から送信された前記映像データ及び音声データの少なくとも一方を前記ケーブルテレビ局を介して受信することを特徴とする請求項１に記載の観覧サービスシステム。
【請求項３】
前記映像データ及び音声データの少なくとも一方は、圧縮、暗号化、及びスクランブル処理されて送信され、前記端末にて、前記復号情報により伸長、復号化、及びスクランブル解除処理されることを特徴とする請求項１または２に記載の観覧サービスシステム。
【請求項４】
前記復号情報は鍵情報からなる請求項１乃至３のいずれかに記載の観覧サービスシステム。
【請求項５】
前記会場と前記ケーブルテレビ局とは、人工衛星を介して交信することを特徴とする請求項２に記載の観覧サービスシステム。
【請求項６】
前記書き込み手段、前記端末、及び前記管理手段は、インターネットを介して接続されることを特徴とする請求項１乃至５のいずれかに記載の観覧サービスシステム。
【請求項７】
前記書き込み手段は、パーソナル・コンピュータを介して前記インターネットに接続され、前記チケットの予約は前記パーソナル・コンピュータから行なわれることを特徴とする請求項６に記載の観覧サービスシステム。
【請求項８】
前記チケットは、会場の席または前記端末を備えた家庭を指定するものであることを特徴とする請求項１乃至７のいずれかに記載の観覧サービスシステム。
【発明の詳細な説明】
技術分野
本発明は、コンサート等を一般家庭等で観覧可能とする観覧サービスシステムに関するものである。
背景技術
従来、所望のコンサート等を観覧するために、利用者は事前にチケットを購入し、そのコンサート等の開催される日時に所定の会場に行く必要がある。しかし利用者によっては、チケットを購入したものの、何らかの事情により会場に行けなくなる場合があった。また利用者によっては、観覧はしたいが、会場に行くことが面倒になったため、観覧を断念する場合もあった。このような場合、利用者はそのコンサート等を観覧することができない。また、そのチケットは利用者により他者に譲渡されるか、あるいは譲渡できない場合は、活かされず無駄になる。
本発明の目的は、会場のみでなく、一般家庭等でコンサート等を観覧できる観覧サービスシステムを提供することにある。
発明の開示
（１）本発明の観覧サービスシステムは、予約されたチケットの発行データを管理するとともに、前記チケットに係るチケットデータを送信する管理手段と、この管理手段から受信した前記チケットデータを所定の記憶媒体に書き込む書き込み手段と、この書き込み手段で書き込まれた前記チケットデータを前記記憶媒体から読み出す読み出し手段と、受信した映像データ及び音声データの少なくとも一方を再生する端末と、を備え、前記管理手段は、前記読み出し手段から読み出された前記チケットデータについて前記発行データを基に認証した場合、前記端末へ前記映像データ及び音声データの少なくとも一方を再生可能とする復号情報を送信し、前記端末は、前記管理手段から受信した前記復号情報により前記映像データ及び音声データの少なくとも一方を再生する。
（２）本発明の観覧サービスシステムは上記（１）に記載のシステムであり、かつ前記端末は、ケーブルテレビ局と接続され、所定の会場から送信された前記映像データ及び音声データの少なくとも一方を前記ケーブルテレビ局を介して受信する。
（３）本発明の観覧サービスシステムは上記（１）または（２）に記載のシステムであり、かつ前記映像データ及び音声データの少なくとも一方は、圧縮、暗号化、及びスクランブル処理されて送信され、前記端末にて、前記復号情報により伸長、復号化、及びスクランブル解除処理される。
（４）本発明の観覧サービスシステムは上記（１）乃至（３）のいずれかに記載のシステムであり、かつ前記復号情報は鍵情報からなる。
（５）本発明の観覧サービスシステムは上記（２）に記載のシステムであり、かつ前記会場と前記ケーブルテレビ局とは、人工衛星を介して交信する。
（６）本発明の観覧サービスシステムは上記（１）乃至（５）のいずれかに記載のシステムであり、かつ前記書き込み手段、前記端末、及び前記管理手段は、インターネットを介して接続される。
（７）本発明の観覧サービスシステムは上記（６）に記載のシステムであり、かつ前記書き込み手段は、パーソナル・コンピュータを介して前記インターネットに接続され、前記チケットの予約は前記パーソナル・コンピュータから行なわれる。
（８）本発明の観覧サービスシステムは上記（１）乃至（７）のいずれかに記載のシステムであり、かつ前記チケットは、会場の席または前記端末を備えた家庭を指定するものである。
発明を実施するための最良の形態
以下、本発明の実施の形態を図面を参照して説明する。
図１は、本発明の実施の形態に係る観覧サービスシステムの構成を示す図である。このシステムは、発行済のチケット・データを利用して、コンサート等を一般家庭等でほぼリアルタイムに観覧可能とするものである。
図１に示すようにこの観覧サービスシステムは、チケット販売会社１、一般家庭２、ケーブルテレビ局３、中継系４、及びコンサート会場５の間で構成されている。
チケット販売会社１は、チケット発行機１１とチケット管理サーバ１２を備えており、これらはインターネットＮに接続されている。
一般家庭２は、パソコン（パーソナル・コンピュータ）２１とケーブルテレビ用端末装置２２を備えており、これらはインターネットＮに接続されている。パソコン２１には、カードリーダ・ライタ２３が接続されている。ケーブルテレビ用端末装置２２には、カードリーダ・ライタ２４、ＴＶ（テレビジョン）受像機２５、及びスピーカ２６が接続されている。
ケーブルテレビ局３は、ケーブルテレビ局サーバ３１を備えており、これはインターネットＮに接続されている。ケーブルテレビ局サーバ３と一般家庭２のケーブルテレビ用端末装置２２とは、ケーブルＣにより接続されている。
コンサート会場５には撮像機器（ビデオカメラ）５１と収音機器（マイクロフォン）５２が設置されており、これらは人工衛星４１等からなる中継系４を介してケーブルテレビ局３と電波で交信する。
図２は、以上のように構成された観覧サービスシステムにおけるサービス手順を示すシーケンス図である。図２では、チケット販売会社１のチケット発行機１１とチケット管理サーバ１２、一般家庭２のパソコン２１とケーブルテレビ用端末装置２２、ケーブルテレビ局３のケーブルテレビ局サーバ３１、コンサート会場５の撮像機器５１と収音機器５２の間で交わされる通信状態が示されている。以下、図２を基にサービス手順を説明する。
まず、所望のコンサートのチケットを事前に予約する場合、ステップＳ１で、利用者は家庭２内で、カードリーダ・ライタ２３に所定のＩＣカード（または磁気カード）を挿入する。このＩＣカードには、チケット販売会社１に登録されている利用者の固有の識別コード（ＩＤ）が記憶されている。
その後ステップＳ２で、利用者は、パソコン２１からインターネットＮを介してチケット販売会社１のチケット管理サーバ１２にアクセスする。このとき、カードリーダ・ライタ２３で読み取られた上記識別コードが、パソコン２１からチケット管理サーバ１２へ送られる。
続いてステップＳ３で、チケット予約サービスが、チケット管理サーバ１２からインターネットＮを介してパソコン２１に提示される。ステップＳ４で、該チケット予約サービスの手続きに従って、利用者がパソコン２１からインターネットＮを介してチケット管理サーバ１２へ所望のコンサートのチケットを予約する。そしてステップＳ５で、その予約情報がチケット管理サーバ１２内に記憶され、ステップＳ６で、該予約情報がチケット管理サーバ１２からインターネットＮを介してチケット発行機１１へ送られる。
次にステップＳ７で、チケット発行機１１で電子的にチケットが発行される。ステップＳ８で、そのチケットの情報が、チケット・データとしてインターネットＮを介して利用者のパソコン２１へ送られる。ステップＳ９で、このチケット・データは、パソコン２１からカードリーダ・ライタ２３へ送られ、上記ＩＣカードに記憶される。なお、このチケット・データは、予約されたコンサートの日時、会場、会場内での指定席の番号等の情報からなる。またステップＳ１０で、チケット発行機１１のチケット発行データが、インターネットＮを介してチケット管理サーバ１２に送られ、ステップＳ１１で、チケット管理サーバ１２に格納される。
その後、上記コンサートの開催日に、利用者が事情によりコンサート会場５に行くことができず、家庭２で観覧サービスを受けるものとする。
まずステップＳ１２で、上記コンサートの開演時間前に、利用者は、チケット・データが記憶された上記ＩＣカードをカードリーダ・ライタ２４に挿入する。するとステップＳ１３で、カードリーダ・ライタ２４で上記ＩＣカードのチケット・データが読み取られ、そのチケット・データがケーブルテレビ用端末装置２２からインターネットＮを介してチケット管理サーバ１２へ送られる。
そしてステップＳ１４で、チケット管理サーバ１２は、前記チケット・データと格納されているチケット発行データとの照合を行なう。チケット管理サーバ１２は、前記チケット・データにより上記コンサートの予約がされていることを認証すると、電子鍵（所定の電子データ、コマンド）を発行する。ステップＳ１５で、この電子鍵は、チケット管理サーバ１２からインターネットＮを介してケーブルテレビ用端末装置２２にダウンロードされる。なお上記ＩＣカードは、利用者が実際にコンサート会場５に行った場合にも、入場手続き時の観覧可否の認証に用いられる。
一方、ステップＳ１６で、コンサート会場５では、会場内の撮影機器５１により撮影された映像データと収音機器５２により収音された音声データが、それぞれ撮影機器５１と収音機器５２でほぼリアルタイムに圧縮、暗号化、スクランブル処理される。ステップＳ１７で、これら映像データと音声データは、中継系４の人工衛星４１等を中継して、ケーブルテレビ局３のケーブルテレビ局サーバ３１へ送信される。
ステップＳ１８で、ケーブルテレビ局サーバ３１で受信された映像データ及び音声データは、同期された状態でケーブルＣを介して、ケーブルテレビサービスに加入している各一般家庭に配信される。ステップＳ１９で、一般家庭２のケーブルテレビ用端末装置２２は、ケーブルテレビ局３から受信した映像データ及び音声データを、ダウンロードした上記電子鍵を用いて伸長、復号化、スクランブル解除処理し、それぞれＴＶ受像機２５とスピーカ２６に再生する。これにより利用者は、コンサート会場５で行なわれているコンサートを、ほぼリアルタイムで一般家庭２にて鑑賞することとなる。また利用者は、上記ＴＶ受像機２５とスピーカ２６の再生映像と音声を録画、録音することで、後日鑑賞することもできる。
なお、上記実施の形態では、利用者が事前に予約するチケットはコンサート会場５に入場することを前提として発行されており、会場５内での席が確保されている。すなわち、利用者がコンサートの開催日に会場５に行かず、自宅で観覧サービスを受ける場合は、上記席は空席となる。しかしながら、会場５内では可能な限り席は空けず、観覧者に利用されることが望ましい。
このため、当該観覧サービスにおいて、コンサート会場５に入場することを前提とせず、初めから自宅で観覧することを前提とした、会場席の追加席としての自宅席を設定してもよい。この場合、会場５に行く可能性が高い利用者はコンサート会場５に入場するためのチケットを予約し、会場５に行く可能性が低い利用者は自宅で観覧するためのチケットを予約することになる。これにより、会場５内の席を有効に活用できるとともに、会場５に行くことができない多くの利用者に、自宅での観覧サービスを提供することができる。
以上のように本実施の形態における観覧サービスシステムでは、パソコン２１に取り付けられたカードリーダ・ライタ２３により、固有のＩＤを有するＩＣカード（または磁気カード）に、利用者の所望するコンサートのチケット・データが書き込まれるとともに、チケット管理サーバ１２に、チケット発行機１１のチケット発行データが格納される。
また、コンサート会場５の映像データと音声データは、リアルタイムに圧縮やスクランブル処理が施され、人工衛星４１などを中継してケーブルテレビ局３に送信され、一般家庭２に配信される。
そして利用者により、ケーブルテレビ用端末装置２２に取り付けられたカードリーダ・ライタ２４に上記ＩＣカード（または磁気カード）が挿入されると、チケット管理サーバ１２にチケット・データの照合が依頼され、認証されると、ケーブルテレビ用端末装置２２に電子鍵がダウンロードされる。この電子鍵により、ケーブルテレビ用端末装置２２で映像データと音声データの伸長やスクランブル処理解除が行なわれ、ＴＶ受像機２２とスピーカ２６に再生される。
このように、チケット・データがＩＣカード（または磁気カード）に発行され、チケット発行データがチケット管理サーバ１２に保管されることで、実際にコンサート会場５に行った場合の入場手続き時のみでなく、自宅においても、ケーブルテレビ用端末装置２２に備えられたチケット・データを読み取り可能なカードリーダ・ライタ２４に、上記ＩＣカードを挿入することにより、観覧可否の認証を簡単に行なうことが可能となる。
さらに、コンサートの映像データと音声データは、リアルタイムに圧縮・スクランブル処理されて、ケーブルテレビ局３に送信された後、各家庭に配信され、上記認証後にダウンロードされた電子鍵を用いて上記映像データと音声データが解凍、スクランブル解除され、ＴＶ受像機２２とスピーカ２６に再生されるので、認証された場合のみ観覧が可能となる。
これにより、上記ＩＣカード（または磁気カード）を所有しない他者、あるいは別のＩＣカードを所有する他者、すなわちチケットの発行を受けていない者がケーブルテレビ用端末装置２２を通じて観覧することを防止することができる。
なお、本発明は上記実施の形態のみに限定されず、要旨を変更しない範囲で適宜変形して実施できる。例えば本発明の観覧サービスシステムは、音楽のコンサートに限らず、演劇、スポーツ等、会場で観覧される各種催し物に適用できる。
産業上の利用可能性
本発明の観覧サービスシステムによれば、チケットデータを所定の記憶媒体に発行し、そのチケットの発行データを管理手段で保管することで、会場のみでなく、一般家庭等でコンサート等を観覧できる。
すなわち、コンサート等の映像データ及び音声データが、リアルタイムに圧縮、暗号化、及びスクランブル処理された後配信され、前記記憶媒体のチケットデータについて認証された場合、受信側で復号情報がダウンロードされ、前記映像データ及び音声データが伸長、復号化、及びスクランブル解除処理されて再生されるので、再生が許可された場合にのみ観覧が可能となる。
これにより、急用等何らかの理由で会場に行けない利用者が、コンサート等を自宅でリアルタイムに視聴できる。また、会場席または自宅席のチケットの発行を受けたものだけが自宅のテレビでリアルタイムにコンサート等を視聴できるため、チケットの発行を受けていない者の観覧を防止できる。
このように本発明によれば、会場席への追加席として自宅席をサービスすることで、何らかの事情により会場に行けなかったり、会場に行くことが面倒という客層の取り込みが可能になる。また、会場に行くことなく観覧できるため、発行済みのチケットを無駄にせず活用できる。
【図面の簡単な説明】
図１は、本発明の実施の形態に係る観覧サービスシステムの構成を示す図。
図２は、本発明の実施の形態に係る観覧サービスシステムにおけるサービス手順を示すシーケンス図。
【図１】
2002069639.tif 000003
【図２】
2002069639.tif 000004
【国際調査報告】
2002069639.tif 000005
2002069639.tif 000006
2002069639.tif 000007
2002069639.tif 000008